(57)【要約】      （修正有）【課題】薬莢の内圧の異常上昇を抑えることが可能な弾丸及び薬莢を備えた弾薬を提供する。【解決手段】弾丸１０には、薬莢２０の先端筒部２１に嵌合されて薬莢２０内を密閉する第１嵌合部１３と、薬莢２０のうち先端筒部２１より基端側に収容されて、弾丸１０が先端筒部２１を通過するときに先端筒部２１と嵌合して薬莢２０内を密閉する第２嵌合部１４と、第１嵌合部１３と第２嵌合部１４とを連絡する連絡軸部１５とが備えられ、この連絡軸部１５が、第１嵌合部１３の外周面から後側に延長されて第２嵌合部１４の外周面に連絡する環状連絡面１６との間に、先端筒部２１の軸長より長い隙間１７を有している。【選択図】図６
2015169408.tif 000002
【特許請求の範囲】
【請求項１】
薬莢のうち先端寄り位置に形成された絞り部より先の先端筒部に嵌合されて、前記薬莢とで弾薬を構成する弾丸において、
前記先端筒部に嵌合されて前記薬莢を密閉する第１嵌合部と、
前記薬莢のうち前記先端筒部より基端側に収容され、前記先端筒部を通過するときに前記先端筒部に嵌合されて前記薬莢を密閉する第２嵌合部と、
前記第１嵌合部と前記第２嵌合部とを連絡すると共に、前記第１嵌合部の外周面から延長されて前記第２嵌合部の外周面に連絡する環状連絡面との間に前記先端筒部の軸長より長い隙間を有する連絡軸部と、を備えたことを特徴とする弾丸。
【請求項２】
前記隙間は、環状であることを特徴とする請求項１に記載の弾丸。
【請求項３】
前記連絡軸部は、前記第１嵌合部側へ向かって縮径されかつ後端部が前記第２嵌合部と同径のテーパ状に形成されたことを特徴とする請求項２に記載の弾丸。
【請求項４】
前記第１嵌合部と前記第２嵌合部との間の距離は、前記弾丸が銃腔内のライフリングと係合するより前に、前記第１嵌合部が前記先端筒部より前側に配置されかつ前記第２嵌合部が前記先端筒部より後側に配置される長さに設定されたことを特徴とする請求項１乃至３のうち何れか１の請求項に記載の弾丸。
【請求項５】
前記第１嵌合部と前記第２嵌合部との間の距離は、前記弾丸が前記ライフリングと係合するときに前記第２嵌合部が前記先端筒部に嵌合される長さに設定されたことを特徴とする請求項４に記載の弾丸。
【請求項６】
請求項１乃至５のうち何れか１の請求項に記載の弾丸と前記薬莢とからなることを特徴とする弾薬。
【発明の詳細な説明】
【技術分野】
【０００１】
本発明は、弾丸及びそれを備えた弾薬に関する。
【背景技術】
【０００２】
従来の弾丸として、薬莢の先端部に嵌合されたものが知られている。具体的には、図１３に示すように、弾丸２は、先細り形状のヘッド部２Ａと、円柱状の胴部２Ｂとを備え、胴部２Ｂがボトルネック型の薬莢５の先端筒部６に嵌合されることで薬莢５内を密閉している（例えば、特許文献１参照）。
【先行技術文献】
【特許文献】
【０００３】
【特許文献１】特表２００２−５２０５６７号公報（［００２４］、図１）
【発明の概要】
【発明が解決しようとする課題】
【０００４】
しかしながら、上述した従来の弾丸では、銃腔内に水や埃等の異物が入り込んだ場合に、その異物が弾丸の前進の妨げとなって、薬莢の内圧の異常上昇を招くという問題があった。
【０００５】
本発明は、上記事情に鑑みてなされたもので、薬莢の内圧の異常上昇を抑えることが可能な弾丸及びそれを備えた弾薬の提供を目的とする。
【課題を解決するための手段】
【０００６】
上記目的を達成するためになされた請求項１の発明に係る弾丸は、薬莢のうち先端寄り位置に形成された絞り部より先の先端筒部に嵌合されて、薬莢とで弾薬を構成する弾丸において、先端筒部に嵌合されて薬莢を密閉する第１嵌合部と、薬莢のうち先端筒部より基端側に収容され、先端筒部を通過するときに先端筒部に嵌合されて薬莢を密閉する第２嵌合部と、第１嵌合部と第２嵌合部とを連絡すると共に、第１嵌合部の外周面から延長されて第２嵌合部の外周面に連絡する環状連絡面との間に先端筒部の軸長より長い隙間を有する連絡軸部と、を備えたところに特徴を有する。
【０００７】
請求項２の発明は、請求項１に記載の弾丸において、隙間は、環状であるところに特徴を有する。
【０００８】
請求項３の発明は、請求項２に記載の弾丸において、連絡軸部は、第１嵌合部側へ向かって縮径されかつ後端部が第２嵌合部と同径のテーパ状に形成されたところに特徴を有する。
【０００９】
請求項４の発明は、請求項１乃至３のうち何れか１の請求項に記載の弾丸において、第１嵌合部と第２嵌合部との間の距離は、弾丸が銃腔内のライフリングと係合するより前に、第１嵌合部が先端筒部より前側に配置されかつ第２嵌合部が先端筒部より後側に配置される長さに設定されたところに特徴を有する。
【００１０】
請求項５の発明は、請求項４に記載の弾丸において、第１嵌合部と第２嵌合部との間の距離は、弾丸がライフリングと係合するときに第２嵌合部が先端筒部に嵌合される長さに設定されたところに特徴を有する。
【００１１】
請求項６の発明に係る弾薬は、請求項１乃至５のうち何れか１の請求項に記載の弾丸と薬莢とからなるところに特徴を有する。
【発明の効果】
【００１２】
［請求項１，６の発明］
本発明では、第１嵌合部が先端筒部に嵌合された状態で薬莢の内圧が上昇すると、弾丸が前進し、第２嵌合部が先端筒部に嵌合されて、薬莢内が再び密閉される。そして、この状態で薬莢の内圧がさらに上昇すると、弾丸が発射される。ここで、第１嵌合部と第２嵌合部とを連絡する連絡軸部は、第１嵌合部の外周面から延長されて第２嵌合部の外周面に連絡する環状連絡面との間に、先端筒部の軸長より長い隙間を有しているので、第２嵌合部が先端筒部に嵌合されるまでの間に、薬莢内と銃腔内とを連通して薬莢の内圧により銃腔内の異物を薬莢から遠ざけることが可能となる。これにより、薬莢の近くで異物が弾丸の前進を妨げることを防いで、薬莢の内圧の異常上昇を抑えることができる。
【００１３】
［請求項２の発明］
請求項２の発明では、連絡軸部が環状連絡面との間に有する隙間が環状になっているので、周方向の任意の位置で薬莢内のガスを銃腔側へ移動させることが可能となる。
【００１４】
［請求項３の発明］
請求項３の発明によれば、連絡軸部は、第１嵌合部側へ向かって縮径されたテーパー状に形成されているので、連絡軸部と環状連絡面との間の隙間に入り込んだガスを第１嵌合部側、即ち、弾丸の前側へとスムーズに移動させることが可能となる。しかも、連絡軸部の後端部は、第２嵌合部と同径になっているので、薬莢内のガスを連絡軸部と先端筒部との間の隙間に入り込ませ易くすることが可能となる。
【００１５】
［請求項４の発明］
請求項４の発明によれば、弾丸が銃腔内のライフリングと係合するより前に、薬莢内と銃腔内とが連通されるので、薬莢内のガスを銃腔の先端側まで移動させることができる。これにより、銃腔内のうち薬莢から遠く離れた異物についても薬莢から遠ざけることが可能となる。
【００１６】
［請求項５の発明］
請求項５の発明では、第２嵌合部が先端筒部に嵌合された状態で薬莢の内圧が上昇すると、その内圧によって弾丸が銃腔内へと発射される。ここで、本発明では、弾丸がライフリングと係合するときに、第２嵌合部が先端筒部に嵌合されるので、弾丸を安定させた状態でライフリングへ押し付けることが可能となる。
【図面の簡単な説明】
【００１７】
【図１】本発明の第１実施形態に係る弾薬の部分側断面図
【図２】弾丸の（Ａ）側面図、（Ｂ）Ａ−Ａ線切断部端面図
【図３】弾丸が先端筒部を通過するときの弾薬の部分側断面図
【図４】第２嵌合部が先端筒部に嵌合されたときの弾薬の部分側断面図
【図５】弾薬が銃身にセットされた状態の弾丸周辺の部分側断面図
【図６】弾丸が先端筒部を通過するときの弾丸周辺の部分側断面図
【図７】図６における先端筒部周辺の拡大図
【図８】第２嵌合部が先端筒部に嵌合された状態の弾丸周辺の部分側断面図
【図９】第２実施形態に係る弾丸の（Ａ）側面図、（Ｂ）Ｂ−Ｂ線切断部端面図
【図１０】変形例に係る弾丸の側面図
【図１１】変形例に係る弾丸の（Ａ）一部破断側面図、（Ｂ）Ｃ−Ｃ線切断部端面図
【図１２】変形例に係る弾丸の（Ａ）側面図、（Ｂ）Ｄ−Ｄ線切断部端面図
【図１３】従来の弾薬の部分側断面図
【発明を実施するための形態】
【００１８】
［第１実施形態］
以下、本発明の第１実施形態を図１〜図８に基づいて説明する。図１に示すように、本実施形態に係る弾薬５０は、弾丸１０と薬莢２０とからなる。薬莢２０は、所謂、ボトルネックタイプの薬莢であって、先端寄り位置に、先端側が小径となる絞り部２２を備えている。そして、薬莢２０のうち絞り部２２よりも先端側部分が先端筒部２１、絞り部２２よりも基端側部分が大径部２３となっている。
【００１９】
薬莢２０の内部には、図示しない発射薬が充填されている。そして、薬莢２０の先端筒部２１に弾丸１０が嵌合されることで、薬莢２０内が密閉されている。なお、詳細には、大径部２３の基端側の底部には、底孔２３Ａが形成され、薬莢２０には、発射薬に着火させるため雷管（図示せず）が底孔２３Ａを塞ぐように設けられている。
【００２０】
弾丸１０は、図２（Ａ）に示すように、胴部１２の先に先細り形状のヘッド部１１を備えた構造になっている。詳細には、ヘッド部１１の外周面は、先端側に向かうに従って弾丸１０の中心軸へ向かうように湾曲している。
【００２１】
胴部１２は、第１嵌合部１３と、第１嵌合部１３より後側に配置された第２嵌合部１４と、第１嵌合部１３と第２嵌合部１４とを連絡する連絡軸部１５とで構成されている。第１嵌合部１３は、図１に示すように、弾丸１０が薬莢２０に組み付けられたときに、先端筒部２１に嵌合されて薬莢２０内を密閉する。このとき、第２嵌合部１４は、薬莢２０のうち先端筒部２１よりも基端側に収容される。なお、図１の例では、第１嵌合部１３は、先端筒部２１の先端寄り位置に配置され、第２嵌合部１４は、大径部２３内に収容されている。
【００２２】
また、第２嵌合部１４は、第１嵌合部１３と略同径となっていて、図１から図４への変化に示すように、弾丸１０が前進して先端筒部２１を通過するときに、先端筒部２１に嵌合されて薬莢２０内を密閉する。
【００２３】
連絡軸部１５は、前側、即ち、第１嵌合部１３側が小径となるテーパー状に形成されている。そして、連絡軸部１５は、第１嵌合部１３の外周面１３Ｍから後側に延長されて第２嵌合面１４の外周面１４Ｍと連絡する環状連絡面１６（図２（Ａ）には、２点鎖線で示されている。）との間に、環状の隙間１７を有している（図２（Ｂ）参照）。なお、本実施形態では、連絡軸部１５の後端部は、第２嵌合部１４と同径になっている。
【００２４】
ここで、本実施形態では、図３及び図６に示すように、連絡軸部１５の軸長が先端筒部２１の軸長より長くなっていて、弾丸１０の前後方向における隙間１７の長さも先端筒部２１の軸長より長くなっている。
【００２５】
弾薬５０及び弾丸１０の構成についての説明は以上である。次に、弾丸１０の発射について説明する。
【００２６】
図５には、弾薬５０が銃身３０にセットされたときの弾丸１０周辺の様子が示されている。同図に示されるように、銃身３０には、弾丸１０が通過する銃腔３１が形成されていて、その銃腔３１の後側に弾薬５０がセットされる。なお、弾薬５０がセットされた状態では、弾丸１０のヘッド部１１が銃腔３１内に露出している。
【００２７】
詳細には、銃腔３１の後端部は、前側に向かうに従って小径となるテーパ部３１Ａになっていて、このテーパ部３１Ａの先が直線状のストレート部３１Ｂになっている。また、銃腔３１の内面には、テーパ部３１Ａとストレート部３１Ｂとの両方に亘って、螺旋溝により構成されるライフリング３２が設けられている。ここで、弾丸１０のヘッド部１１の最大径は、テーパ部３１Ａの最大径よりも若干小さく、ストレート部３１Ｂの内径より若干大きくなっている。
【００２８】
さて、雷管によって薬莢２０内の発射薬に着火されると、発射薬の燃焼ガスで薬莢２０の内圧が上昇し、弾丸１０が前側に押される。そして、薬莢２０の内圧に押された弾丸１０が前進すると、図５から図８への変化に示すように、弾丸１０のヘッド部１１の外周部が、テーパ部３１Ａの内周面と当接し、ライフリング３２の螺旋溝と係合する。そして、薬莢２０の内圧上昇により弾丸１０がさらに押圧されると、弾丸１０が銃腔３１内を移動する。このとき、弾丸１０には、ライフリング３２の螺旋溝によって回転が付与される。なお、本実施形態では、図８に示すように、ヘッド部１１がライフリング３２と係合するときに、第２嵌合部１４が先端筒部２１に嵌合されるので、弾丸１０を安定させた状態でライフリング３２へ押し付けることが可能となる。
【００２９】
ところで、図１３に示した従来の弾丸１では、銃腔３１（図５参照）内に、水や埃等の異物が存在すると、その異物が弾丸１の前進の妨げとなって、薬莢５の内圧の異常上昇を招くことがある。この内圧の異常上昇が起こると、例えば、薬莢５の大径部７の底孔７Ａからガスが漏れたり、雷管が後側に吹き飛ぶ等の危険が生じる。しかしながら、本実施形態の弾丸１０及び弾薬５０では、以下に説明するように、薬莢２０の内圧の異常上昇の抑制が図られている。
【００３０】
即ち、図５から図６への変化に示すように、弾丸１０が前進して第１嵌合部１３と先端筒部２１との嵌合が外れると、第１嵌合部１３が先端筒部２１の前側に配置される。ここで、上述したように、連絡軸部１５の軸長は先端筒部２１の軸長よりも長くなっているので、図６に示すように、第２嵌合部１４は、先端筒部２１より基端側に配置される。そして、連絡軸部１５が環状連絡面１６との間に有する隙間１７の前後方向の長さも先端筒部２１の軸長より長くなっているので、図７に拡大して示すように、薬莢２０の内部と銃腔３１の内部とが、隙間１７を介して連通される。従って、図７に矢印で示したように、薬莢２０内のガスを銃腔３１内へと移動させることができ、このガスの噴出によって銃腔３１内の異物を薬莢２０から遠ざけることが可能となる。
【００３１】
なお、薬莢２０内のガスが銃腔３１内へ移動すると薬莢２０の内圧が下がることになるが、第１嵌合部１３が先端筒部２１から外れてから第２嵌合部１４が先端筒部２１に嵌合されるまでの時間は非常に短いので、薬莢２０の内圧が下がり過ぎて弾丸１０を発射できなくなることはない。
【００３２】
また、図７に示す状態で、弾丸１０のヘッド部１１は、銃腔３１のテーパ部３１Ａの内面との間に隙間を有している。言い換えれば、本実施形態では、連絡軸部１５の長さが、弾丸１０がライフリング３２と係合するよりも前に、第１嵌合部１３が先端筒部２１より前側に配置され、第２嵌合部１４が先端筒部２１より後側に配置される長さに設定されている。従って、銃腔３１のうち薬莢２０から遠く離れたストレート部３１Ｂに異物が存在する場合であっても、薬莢２０内のガスを銃腔３１の先端側まで移動させて、その異物を薬莢２０から遠ざけることが可能となる。
【００３３】
このように、本実施形態の弾丸１０及び弾薬５０では、第１嵌合部１３と第２嵌合部１４とを連絡する連絡軸部１５が、第１嵌合部１３の外周面１３Ｍから延長されて第２嵌合部１４の外周面１４Ｍに連絡する環状連絡面１６との間に、先端筒部２１の軸長より長い隙間１７を有した構成になっているので、第２嵌合部１４が先端筒部２１に嵌合されるまでの間に、薬莢２０内と銃腔３１内とを連通して薬莢２０の内圧により銃腔３１内の異物を薬莢２０から遠ざけることが可能となる。これにより、薬莢２０の近くで異物が弾丸１０の前進を妨げることを防いで、薬莢２０の内圧の異常上昇を抑えることができる。
【００３４】
また、連絡軸部１５が環状連絡面１６との間に有する隙間１７は、環状になっているので、周方向の任意の位置で薬莢２０内のガスを銃腔３１側へ移動させることが可能となる。
【００３５】
さらに、連絡軸部１５は、第１嵌合部１３側へ向かって縮径されたテーパー状に形成されているので、連絡軸部１５と先端筒部２１との間（隙間１７）に入り込んだガスを第１嵌合部１３側へとスムーズに移動させることが可能となる。しかも、連絡軸部１５の後端部は、第２嵌合部１４と同径になっているので、薬莢２０内のガスを連絡軸部１５と先端筒部２１との間（隙間１７）に入り込ませ易くすることが可能となる。
【００３６】
［第２実施形態］
以下、本発明の第２実施形態を、図９に基づいて説明する。本実施形態に係る弾丸１０Ｖは、上記第１実施形態の弾丸１０を変形したものであり、主として、連絡軸部１５の構成が異なっている。具体的には、図９（Ａ）及び図９（Ｂ）に示すように、本実施形態の弾丸１０Ｖでは、連絡軸部１５は、第１嵌合部１３及び第２嵌合部１４より小径な円柱状をなしている。即ち、本実施形態では、連絡軸部１５の外径の大きさが前後方向の任意の位置で一定となっている。
【００３７】
なお、連絡軸部１５の前後方向の長さが、薬莢２０の先端筒部２１（上記第１実施形態の図１を参照）の軸長より長くなっている点、連絡軸部１５が環状連絡面１６との間に有する環状の隙間１７も先端筒部２１の軸長より長くなっている点は、上記第１実施形態と同様である。また、言うまでもなく、弾丸１０Ｖは、薬莢２０の先端筒部２１に嵌合されて弾薬を構成する。
【００３８】
弾丸１０Ｖのその他の構成は、上記第１実施形態の弾丸１０と同様になっているので、同一符号を付すことで説明を省略する。本実施形態の弾丸１０Ｖによれば、上記第１実施形態の弾丸１０と同様の効果を奏することができる。
【００３９】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４０】
（１）上記第２実施形態の弾丸１０Ｖでは、連絡軸部１５が円柱状に形成されていたが、図１０に示す弾丸１０Ｗのように、連絡軸部１５を、前側が小径となるテーパ状に形成してもよい。
【００４１】
（２）上記実施形態では、連絡軸部１５が環状連絡面１６との間に有する隙間１７が環状であったが、周方向の一部に形成されてもよい。具体的には、図１１（Ａ）及び図１１（Ｂ）に示す弾丸１０Ｘのように、連絡軸部１５を第１嵌合部１３及び第２嵌合部１４と略同径の円柱状にすると共に、その外周面に溝１５Ｍを形成することで、隙間１７が形成されてもよい。なお、図１１（Ａ）及び図１１（Ｂ）では、溝１５Ｍが複数設けられているが、１つであってもよい。また、図１１（Ａ）では、溝１５Ｍは、第１嵌合部１３側に向かうに従って深くなっているが、第２嵌合部１４側に向かうに従って深くなってもよいし、前後方向の中央に向かうに従って深くなってもよいし、前後方向の任意の位置で溝深さが同じであってもよい。
【００４２】
（３）図１２（Ａ）及び図１２（Ｂ）に示すように、上記第２実施形態において、連絡軸部１５の外周面に、第１嵌合部１３と第２嵌合部１４を連絡する突条１５Ｔを突出形成した構成であってもよい。
【００４３】
（４）上記第１実施形態及び上記（１）の構成では、連絡軸部１５は、第１嵌合部１３側に向かうに従って小径となるテーパ状であったが、第２嵌合部１４側に向かうに従って小径となる逆テーパ状であってもよい。
【符号の説明】
【００４４】
１０，１０Ｖ，１０Ｗ，１０Ｘ    弾丸
１３    第１嵌合部
１４    第２嵌合部
１５    連絡軸部
１６    環状連絡面
１７    隙間
２０    薬莢
２１    先端筒部
２２    絞り部
３１    銃腔
５０    弾薬
【図１】
2015169408.tif 000003
【図２】
2015169408.tif 000004
【図３】
2015169408.tif 000005
【図４】
2015169408.tif 000006
【図５】
2015169408.tif 000007
【図６】
2015169408.tif 000008
【図７】
2015169408.tif 000009
【図８】
2015169408.tif 000010
【図９】
2015169408.tif 000011
【図１０】
2015169408.tif 000012
【図１１】
2015169408.tif 000013
【図１２】
2015169408.tif 000014
【図１３】
2015169408.tif 000015